(57)【特許請求の範囲】
【請求項１】
一端よりに連結孔が穿設されたベースプレートと、該ベースプレートの他端よりに、先端部に円柱部を有するとともに、上記ベースプレートの長手方向に直交してその両面から起立してなる複数の取付けプレートとを有するジョイント部材を、
上記円柱部に対応する一対の孔を有するとともに、該孔を結ぶ縦スリットを有し、かつ、上記木口から内部に延び上記縦スリットのほぼ中央で直交する横スリットを有する組立て木材に、
上記連結孔を該木材の木口から外側に臨む状態に突出させるとともに、上記円柱部を上記孔に、上記取付けプレートを上記縦スリットに、上記ベースプレートを上記横スリットにそれぞれ合わせた状態で嵌入した、
ことを特徴とする木造ジョイント構造。
【請求項２】
上記組立て木材には、上記孔を穿孔し、該孔間を結ぶように縦スリットを形成し、上記木口から上記横スリットを形成して上記孔並びに縦および横スリットが設けられていることを特徴とする請求項１記載の木造ジョイント構造。
【請求項３】
上記ジョイント部材は、上記組立て木材への嵌入方向を押出し方向とした押出し成形されたことを特徴とする請求項１または２記載の木造ジョイント構造。
【発明の詳細な説明】
【０００１】
【発明の属する技術分野】
本発明は、各種建造物の骨組に使用されるトラスを構築するための木造ジョイント構造に関する。
【０００２】
【従来の技術】
一般に、木造のトラスは、体育館やホールおよび展示場などの各種建造物の骨組に使用されるものであり、多数の組立て木材が、たとえば釘、ボルトおよびドリフトピンによって縦横、斜めに接合され、あるいは多数の組立て木材が、メタルプレートを組立て木材の接合部の外側に釘などで打ち付けることで、縦横、斜めに接合されている。
【０００３】
【発明が解決しようとする課題】
ところで、上記の如き従来例では、木造のトラスを組立てるに当たって、多数の組立て木材を、釘、ボルトおよびドリフトピンやメタルプレートを用いて接合しているが、このような方法では、組立て木材が充分な接合強度を有するに至っておらず、トラスの剛性を低下させるという問題点がある。
また、組立て木材の接合強度を向上させるため、釘、ボルトおよびドリフトピンの数を増やすことが考えられるが、これでは組立て木材の接合作業が煩雑化する上、コスト高になるという問題点がある。
【０００４】
本発明は、上記のような問題点に鑑みてなされたものであって、その目的とするところは、組立て木材の接合強度を簡単かつ低コストで向上させることができる木造ジョイント構造を提供することにある。
本発明の上記ならびにその他の目的と新規な特徴は、本明細書の記述および添付図面から明らかになるであろう。
【０００５】
【課題を解決するための手段】
上記目的を達成すべく、本発明に係る木造ジョイント構造は、一端よりに連結孔が穿設されたベースプレートと、該ベースプレートの他端よりに、先端部に円柱部を有するとともに、上記ベースプレートの長手方向に直交してその両面から起立してなる複数の取付けプレートとを有するジョイント部材を、上記円柱部に対応する一対の孔を有するとともに、該孔を結ぶ縦スリットを有し、かつ、上記木口から内部に延び上記縦スリットのほぼ中央で直交する横スリットを有する組立て木材に、上記連結孔を該木材の木口から外側に臨む状態に突出させるとともに、上記円柱部を上記孔に、上記取付けプレートを上記縦スリットに、上記ベースプレートを上記横スリットにそれぞれ合わせた状態で嵌入したことを特徴とする。
また、上記組立て木材は、上記孔を穿孔し、該孔間を結ぶように縦スリットを形成し、上記木口から上記横スリットを形成して上記孔並びに縦および横スリットが設けられていることが好ましく、さらに、上記ジョイント部材は、上記組立て木材への嵌入方向を押出し方向とした押出し成形されていることが好ましい。
【０００６】
これにより、本発明によれば、ジョイント部材は、起立した１つ以上の取付けプレートを有するので、ジョイント部材に作用する荷重を取付けプレートが受けることになり、よって、ジョイント部材の剛性を高められ、組立て木材の接合強度が向上する。
また、取付けプレートに円柱部を有するので、取付けプレートの引抜き抵抗が大きくなり、ジョイント部材が強固に固定される。
また、木造ジョイント構造が、押出し成形された簡単な形状のジョイント部材を組立て木材に嵌入するだけで、簡単な加工、低コストで得られる。
【０００７】
【発明の実施の形態】
以下、本発明の実施の形態を図面に基づいて詳細に説明する。実施の形態を説明するに当たって、同一機能を奏するものは同じ符号を付して説明する。
図１は、本発明の一実施の形態に係る木造ジョイント構造の斜視図、図２は、本発明の一実施の形態に係るジョイント部材の斜視図、図３（ａ）〜（ｄ）は、本発明の一実施の形態である木造ジョイント構造の製造工程図、図４は、本発明の他の実施の形態に係る木造ジョイント構造の斜視図である。
【０００８】
図１に示す木造ジョイント構造において、ジョイント部材３０は、角形棒状の組立て木材２０の長手方向の端部（木口）に、後述する連結孔３３を外側に臨むようにして嵌入されている。
組立て木材２０の端部は、上下１対の孔２１が複数対穿設され、これら複数対の孔２１間は複数の縦スリット２２によって個別に連通され、横スリット２３が、組立て木材２０の端面より複数の縦スリット２２のほぼ中央部で直交するように形成されている。
【０００９】
ジョイント部材３０は、図２に示すように、アルミニウム材またはプラスチック材を押出し成形した後、所望の大きさに切断したものであり、矩形状のベースプレート３４の長手方向一端よりにボルトを挿通するための連結孔３３が穿設され、他端よりには複数の取付けプレート３１がベースプレート３４の長手方向に直交する（連結孔３３に対面する）ように起立して形成されている。
取付けプレート３１の上下端部は円柱部３２を有し、取付けプレート３１は縦スリット２２、円柱部３２は孔２１、ベースプレート３４は横スリット２３とそれぞれ同一形状に形成されている。
【００１０】
かかる木造ジョイント構造の製造工程は、図３に示すように、まず、組立て木材２０の端部の所定箇所にドリル４０によって複数の孔２１を穿孔した後（図３（ａ）参照）、のこぎり５０を孔２１に挿通し、こののこぎり５０によって孔２１間に縦スリット２２を形成し（図３（ｂ）参照）、のこぎり６０を組立て木材２０の端面より切り込み、横スリット２３を形成する（図３（ｃ）参照）。
【００１１】
しかる後、予め押出し成形されてなるジョイント部材３０の取付けプレート３１を縦スリット２２、円柱部３２を孔２１、ベースプレート３４を横スリット２３にそれぞれ合わせて、組立て木材２０の端部に嵌入し、木造ジョイント構造が得られる（図３（ｄ）参照）。
かくして、多数の組立て木材２０が、ジョイント部材３０の連結孔３３を使ってボルト・ナットで縦横、斜めに締着・連結されることで、体育館、ホールおよび展示場などの各種建造物の木造トラスが構築される。
なお、この場合、ジョイント部材３０が組立て木材２０より抜脱しないように、図４に示すような中空角形のたが７０を組立て木材２０の端部に嵌込んで止め釘８０で固定すれば、ジョイント部材３０がより確実に組立て木材２０に固定されることになる。
【００１２】
本実施の形態のジョイント部材３０は、ベースプレート３４の長手方向に直交し起立して形成された複数の取付けプレート３１を有するので、ジョイント部材３０の長手方向に作用する圧縮および引張り荷重を、複数の取付けプレート３１が分散して受けることになり、ジョイント部材３０の剛性を高めることができる。
また、取付けプレート３１は、円柱部３２を有するので、取付けプレート３１の長手方向の引抜き抵抗が大きくなり、ジョイント部材３０を強固に固定することができる。
【００１３】
本実施の形態の木造ジョイント構造では、ジョイント部材３０が、押出し成形された簡単な形状であり、組立て木材２０は加工が単純で加工性が良く、ジョイント部材３０を組立て木材２０に嵌入するだけなので、木造ジョイント構造が、簡単な加工でかつ低コストで得ることができ、さらに木造ジョイント構造は、簡単な加工で得られることから、種々の組立て木材に容易に適用することができ、組立て木材２０の各種立体トラスの構築用としての利用範囲を広げることができる。
【００１４】
以上、本発明の実施の形態の木造ジョイント構造について詳述したが、本発明は、上記実施の形態記載の木造ジョイント構造に限定されるものではなく、本発明の特許請求の範囲に記載されている発明の精神を逸脱しない範囲で、設計において種々の変更ができるものである。
たとえば、上記実施の形態の組立て木材２０は、角形を呈しているが、これに限定されず、六角形あるいは丸形などの形状であってもよい。
【００１５】
【発明の効果】
以上の説明から理解されるように、本発明によれば、ジョイント部材は、起立した１つ以上の取付けプレートを有するので、ジョイント部材の剛性が高められ、組立て木材の接合強度を向上することができ、トラスの剛性を向上することができる。
また、取付けプレートに円柱部を有するので、取付けプレートの引抜き抵抗が大きくなり、ジョイント部材を組立て木材に強固に固定することができる。
【００１６】
また、押出し成形された簡単な形状のジョイント部材を組立て木材の端部に嵌入するだけの簡単な加工で低コストの木造ジョイント構造を得ることができ、このような木造ジョイント構造によって、種々の組立て木材の各種建造物におけるトラスの構築用としての利用範囲を広げることができる。
【図面の簡単な説明】
【図１】本発明の一実施の形態である木造ジョイント構造を示す斜視図。
【図２】本発明の一実施の形態であるジョイント部材を示す斜視図。
【図３】（ａ）〜（ｄ）は、本発明の一実施の形態である木造ジョイント構造の製造工程図。
【図４】本発明の他の実施の形態である木造ジョイント構造を示す斜視図。
【符号の説明】
２０  組立て木材
２１  孔
２２  縦スリット
２３  横スリット
３０  ジョイント部材
３１  取付けプレート
３２  円柱部
３３  連結孔
３４  ベースプレート
４０  ドリル
５０，６０  のこぎり
７０  たが
８０  止め釘
【図１】
0003699337.tif 000002
【図２】
0003699337.tif 000003
【図３】
0003699337.tif 000004
【図４】
0003699337.tif 000005